(57)【要約】【課題】反りもある安価な間柱用木材を使用でき、また軽鉄を混在させて使用でき、低コストかつ作業性のよい、形状および強度的にも安定した間仕切り壁の胴縁構造を得る。【解決手段】室内を仕切る間仕切り壁の外装パネルの下地をなす胴縁構造において、天井側の木製の頭継ぎ１１と、床側の木製の土台１２と、頭継ぎと土台とを連結する頭継ぎおよび土台の両端における少なくとも２本を木製とする間柱部材１３Ａと、建具嵌め込み部分１４を除いて横方向に配置し、厚さが間柱部材１３の半分以下の寸法を有して間柱部材に連結する木製の横胴縁部材１６とを具え、間柱部材の表裏外面のうち少なくとも一方の外表面には、横胴縁部材１６を受け止めるとともに、この間柱部材１３の外表面が受け止める横胴縁部材１６の外表面と面一になるよう引っ込ませた窪み１５を設け、窪みの位置で複数個の間柱部材１３に同時通貫する横胴縁部材１６を設ける。【選択図】図２
2007056476.tif 000002
【特許請求の範囲】
【請求項１】
建築物の壁、天井、床等で囲まれた内部空間を仕切る間仕切り壁の外装パネルの下地をなす胴縁構造において、
天井側の木製横方向部材である頭継ぎと、
床側の木製横方向部材である土台と、
前記頭継ぎと土台との間で所定間隔毎に縦方向に配置し、前記頭継ぎと土台とを互いに連結する複数本の間柱部材であって、前記頭継ぎおよび土台の両端における少なくとも２本を木製とする該間柱部材と、
扉等の建具を嵌め込む開口部分を除いて横方向に配置し、厚さが前記間柱部材の半分以下の寸法を有して間柱部材に連結する木製の横胴縁部材と
を具え、
前記間柱部材における表裏外面のうちの少なくとも一方の外表面には、前記横胴縁部材を受け止めるとともに、この間柱部材の外表面が受け止める横胴縁部材の外表面と面一になるよう引っ込ませた窪みを設け、前記窪みの位置で複数個の間柱部材に同時通貫する横胴縁部材を設けた
ことを特徴とする間仕切り壁の胴縁構造。
【請求項２】
前記木製の間柱部材における表裏外面の一方の外表面に、切削加工機により長手方向所定の間隔で複数個の窪みを欠き込み形成した請求項１記載の間仕切り壁の胴縁構造。
【請求項３】
両端の木製間柱部材の中間に配置する間柱部材のうち少なくとも１本を方形断面の軽量金属中空角材とし、この軽量金属製の間柱部材の表裏外面に、プレス加工機により長手方向所定の間隔で複数個の前記窪みを形成し、前記頭継ぎの下面および前記土台の上面それぞれに、金属製のＬ字状ブラケットを固定し、縦方向間柱部材における長手方向両側端部にそれぞれ形成したスリットに、これらＬ字状ブラケットの垂直方向に突出する側の脚部を差し込むことにより前記頭継ぎと土台との間における縦方向間柱部材の固定を補強し、表裏のうち一方の外面における窪み部分で複数個の間柱部材に木製の横胴縁部材を通貫させて固定した請求項１または２記載の間仕切り壁の胴縁構造。
【請求項４】
前記Ｌ字状ブラケットの垂直方向に突出する側の脚部に、この垂直脚部の長手方向に山部と谷部とが波状に交互に現れるコルゲーションを設けた請求項３記載の間仕切り壁の胴縁構造。
【請求項５】
前記Ｌ字状ブラケットの垂直方向に突出する側の脚部の表面を、フェルト材料もしくはエラストマー材料で被覆した請求項３記載の間仕切り壁の胴縁構造。
【請求項６】
前記木製横胴縁部材を、厚さが薄くかつ幅広の板材とした請求項１乃至５のうちのいずれか一項に記載の間仕切り壁の胴縁構造。
【請求項７】
前記間仕切り壁構造の前記間柱部材および横胴縁部材で区切られる隙間を、凹凸のあるパルプモールドシートを嵌め込んで遮蔽した請求項１乃至６のうちのいずれか一項に記載の間仕切り壁の胴縁構造。
【請求項８】
扉等の建具を嵌め込む開口部分には、床側を除いた少なくとも三方を、構造用の単板積層材（ＬＶＬ=Laminated Veneer Lumber）を使用して補強した請求項１乃至７のうちのいずれか一項に記載の間仕切り壁の胴縁構造。
【請求項９】
前記土台の表裏両側の外面に、それぞれフローリングを支持する下地合板の端縁を保持する横方向溝を所定位置に形成し、また、前記土台の適切な箇所に表裏両側の外面を貫通する少なくとも１個の配線・配管用のダクト孔を形成した請求項１乃至８のうちのいずれか一項に記載の間仕切り壁の胴縁構造。
【請求項１０】
軽量金属中空角材の内部輪郭にほぼ相似して僅かに小さい輪郭の断面形状を有する中空金属角材もしくは木製角材を差し込んで固定し、間柱の長さ調整を行う請求項３記載の間仕切り壁の胴縁構造。
【請求項１１】
請求項１記載の間仕切り壁の胴縁構造における木製間柱部材の外表面に、長手方向所定の間隔で複数個の窪みを形成する間柱部材の加工機において、
複数本の間柱用木材を２段もしくは３段重ねで間柱用木材の横方向に配列して結束した結束ユニットを、間柱用木材の配列方向に順次搬送する第１コンベヤ手段と、
第１コンベヤの搬送経路上の前記固定位置で、間柱用木材の一方の端部側を調整自在の位置で所定長さの間柱用木材となるようカットする切断手段と、
やはり、第１コンベヤ手段の搬送経路上の固定位置で、コンベヤ手段の搬送方向に直交する方向に、調整可能な間隔で配置した複数個の欠き込みカッターを有する欠き込み切削手段であって、搬送される結束ユニットの上面側および下面側にそれぞれ前記カッターを配置し、搬送される結束ユニットの上面および下面に同時に複数個の欠き込みを切削する該欠き込み切削手段と、
欠き込み形成および所定長さにカットされた結束ユニットを搬出サイトに搬送する第２コンベヤ手段と
を具えたことを特徴とする間柱部材の加工機。
【発明の詳細な説明】
【技術分野】
【０００１】
本発明は、建築物の壁、天井、床等で囲まれた内部空間を仕切る間仕切り壁の外装パネルの下地をなす胴縁構造、およびこの胴縁構造に使用される木製間柱部材の加工機に関するものである。
【背景技術】
【０００２】
従来の木製間仕切り壁における外装パネル（パネルに貼り付ける装飾クロスを含む）の下地構造としては、図１(ａ)および図１(ｂ)に示すように、天井側の木製横方向部材である頭継ぎ１と、床側の木製横方向部材である土台２との間に、複数本の間柱３を縦部材として、所定間隔（図１(ａ)の場合では３０３ｍｍ、図１(ｂ)の場合では４５５ｍｍ）で配置して釘止めし、間柱間隔長さにカットした間柱と同一断面形状の桟木４を横胴縁部材として、所定間隔（図１(ａ)の場合では９１０ｍｍ、図１(ｂ)の場合では４５５ｍｍ）に間柱３に釘止めして構成するのが一般的であった。
【発明の開示】
【発明が解決しようとする課題】
【０００３】
しかし、このような従来の間仕切り下地構造は、間柱と同一断面形状の桟木（横胴縁部材）を、互いに隣接する間柱間の隙間を埋めるよう間柱に釘止めする場合、桟木を片手で押さえたまま、他方の手に持つ釘打ち銃（ガン）で桟木から間柱に達するまで釘を斜めに打ち込む作業をしていた。この作業は、桟木を押さえる手に釘がささる危険性があり、心理的ストレスとともに、肉体的疲労が伴う作業であり、作業性が悪いという問題点があった。
【０００４】
また、電気配線もしくは配管等は、縦方向に配列されているすべての桟木に、少なくとも直径３０ｍｍの孔を開け、天井もしくは床から配線もしくは配管を通すという面倒な作業をしなければならなかった。さらに、真っ直ぐで良質な間柱用の天然木材は、極めて高価であり、このような間柱用木材をわざわざ短くカットして桟木を形成するのも時間と手間がかかるため、コストを押し上げる要因となっていた。
【０００５】
一方、木材の代わりに、直線性を保つことができかつ低コストで入手し易い軽量金属製の中空角材、いわゆる軽鉄（Light Gauge Steel)を間柱とする間仕切り下地構造も、近年使用されるようになってきた。この軽鉄を使用する工法の場合、横胴縁部材を設けることなく、金属製のチャンネル状ランナーを頭継ぎおよび土台に使用し、軽鉄間柱だけで間仕切り下地構造を構成していた。
【０００６】
しかし、軽鉄使用の間仕切り壁下地構造は横胴縁部材がないため、とくに、天井の高さが２４００ｍｍを越える部屋の間仕切りとして使用する場合、壁全体がブレたり、金属の共振・共鳴音がしてやかましいという問題点を生じていた。また、配線・配管の取付には専用の金具を必要としていた。さらに、軽鉄間柱間に鉄板下地をビス止めする場合、外装パネルを取り付けるとき、このビスのヘッドがパネル内面に当たってパネル自体が歪み、装飾クロスにヒビ割れを生ずる場合もあった。
【０００７】
したがって、本発明の目的は、若干の反りを問題にせず安価な間柱用木材を使用できるとともに、軽鉄材を混在させて使用でき、また、木材および軽鉄材を適材適所に使い分けることができ、低コストであり、非熟練者でも簡単にかつ安全に組み立てることができる作業性のよい、さらに、形状的にも、強度的にも安定した間仕切り壁の胴縁構造を得るにある。
さらに、この胴縁構造における木製間柱部材の加工機を得るにある。
【課題を解決するための手段】
【０００８】
この目的を達成するため、本発明は、建築物の壁、天井、床等で囲まれた内部空間を仕切る間仕切り壁の外装パネルの下地をなす胴縁構造において、
天井側の木製横方向部材である頭継ぎと、
床側の木製横方向部材である土台と、
前記頭継ぎと土台との間で所定間隔毎に縦方向に配置し、前記頭継ぎと土台とを互いに連結する複数本の間柱部材であって、前記頭継ぎおよび土台の両端における少なくとも２本を木製とする該間柱部材と、
扉等の建具を嵌め込む開口部分を除いて横方向に配置し、厚さが前記間柱部材の半分以下の寸法を有して間柱部材に連結する木製の横胴縁部材と
を具え、
前記間柱部材における表裏外面のうちの少なくとも一方の外表面には、前記横胴縁部材を受け止めるとともに、この間柱部材の外表面が受け止める横胴縁部材の外表面と面一になるよう引っ込ませた窪みを設け、前記窪みの位置で複数個の間柱部材に同時通貫する横胴縁部材を設けた
ことを特徴とする。
【発明の効果】
【０００９】
本発明間仕切り壁の胴縁構造においては、木製の横胴縁部材が片面では、間柱部材の外表面と面一になり、反対側の裏面は間柱部材の外面と横胴縁部材の外面とに段差を生じ、この段差による隙間を配線・配管用のスペースとして利用でき、従来のように、横桟木に孔を開ける必要がない。
【００１０】
また、横胴縁部材として使用する厚みの薄い木材は、低コストで入手でき、また直線性がよいので、複数本の間柱部材の窪みにこの横胴縁部材を嵌め込んで通貫させることにより、安価な木製間柱部材に反りがあっても真っ直ぐに矯正することができる。
さらに、複数本の部材の窪みに同時に一本の横胴縁部材を通貫させて嵌め込むことにより、ビス止めの際の仮止めができ、従来の横桟木のように斜めに打ち込むことなく、垂直打ちができ、作業性がよく、仕上がり強度も向上するという効果も得られる。
【発明を実施するための最良の形態】
【００１１】
本発明の好適な実施例においては、木製の間柱部材における表裏外面の一方の外表面に、切削加工機により長手方向所定の間隔で複数個の窪みを、好適には、同時に、欠き込み形成する。
【００１２】
さらに、本発明の好適な実施例においては、両端の木製間柱部材の中間に配置する間柱部材のうち少なくとも１本を方形断面の軽量金属中空角材とし、この軽量金属製間柱部材の表裏外面に、プレス加工機により長手方向所定の間隔で複数個の前記窪みを形成する。この場合、頭継ぎの下面および前記土台の上面それぞれに、金属製のＬ字状ブラケットを固定し、縦方向間柱部材における長手方向両側端部にそれぞれ形成したスリットに、これらＬ字状ブラケットの垂直方向に突出する側の脚部を差し込んで、適宜ビス止めすることにより頭継ぎと土台との間における間柱胴縁部材の固定を補強し、表裏のうち一方の外面における窪み部分で複数個の間柱部材に木製の横胴縁部材を通貫させて固定する。
【００１３】
この実施例によれば、木製の間柱部材および横胴縁部材よりなる胴縁枠構造に、安価で直線性のよい軽鉄角材が混在したハイブリッドな下地構造を構成し、低コストで作業性のよく、かつ強度もある安定した間仕切り壁の胴縁構造が得られる。また、従来の軽鉄構造と違って、配線・配管も容易であり、共振・共鳴の不具合も解消され、外装パネルの歪み、装飾クロスのヒビ割れを生ずることもなくなる。
【００１４】
さらに、この木材と軽鉄角材が混在するハイブリッドな胴縁（下地）構造で使用するＬ字状ブラケットの垂直方向に突出する側の脚部に、この垂直脚部の長手方向に山部と谷部とが波状に交互に現れるコルゲーションを設ける、もしくはＬ字状ブラケットの垂直方向に突出する側の脚部の表面を、フェルト材料もしくはエラストマー材料で被覆すると、金属角材の振動をよりよく吸収して共振・共鳴の発生を抑止することができて好適である。
【００１５】
木製横胴縁部材を、厚さが薄くかつ幅広の板材とすると、構造の強度が向上するとともに、地震の際における家具転倒防止のための家具固定用もしくは福祉用の手摺り取付用ブラケットをビス止めする面積を広くとれるため、効果的な家具転倒防止および手摺り取付を行うことができる。
この横胴縁部材用の板材としては、単板積層板材（ＬＶＰ= Laminated Veneer Plate）を使用すると、強度が強く、安価で直線性も保持できるので好適である。
【００１６】
さらに、本発明の好適な実施例においては、間仕切り壁構造の間柱部材および横胴縁部材で区切られる隙間を、凹凸のあるパルプモールドシートを嵌め込んで遮蔽すると、断熱、遮音、吸音効果を安価に得ることができる。このパルプモールドシートとして、卵を梱包して市販された使用済みのパックを回収して流用するとコストが一層安価となり、かつ、通常はゴミとして廃棄され、コストをかけて処理され、環境に負荷をかける廃棄物を出すことがなくなり、環境保護に役立つ。
【００１７】
扉等の建具を嵌め込む開口部分には、床側を除いた少なくとも三方を、構造用の単板積層角材（ＬＶＬ=Laminated Veneer Lumber）を使用して補強すると、扉等の建具を確実に保持することができる。
【００１８】
本発明間仕切り壁の胴縁構造の好適な実施例においては、土台の表裏両側の外面に、それぞれフローリングを支持する下地合板の端縁を保持する横方向溝を所定位置に形成し、また、土台の適切な箇所に表裏両側の外面を貫通する少なくとも１個の配線・配管用のダクト孔を形成する。この実施例によれば、フローリングの下地合板の端縁を確実に保持することができる。
【００１９】
さらに、本発明は、間仕切り壁の胴縁構造における木製の間柱部材の外表面に、長手方向所定の間隔で複数個の窪みを形成する間柱部材の加工機において、
複数本の間柱用木材を２段もしくは３段重ねで間柱用木材の横方向に配列して結束した結束ユニットを、間柱用木材の配列方向に順次搬送する第１コンベヤ手段と、
第１コンベヤ手段の搬送経路上の前記固定位置で、間柱用木材の一方の端部側を調整自在の位置で所定長さの間柱用木材となるようカットする切断手段と、
やはり、第１コンベヤ手段の搬送経路上の固定位置で、コンベヤ手段の搬送方向に直交する方向に、調整可能な間隔で配置した複数個の欠き込みカッターを有する欠き込み切削手段であって、搬送される結束ユニットの上面側および下面側にそれぞれ前記カッターを配置し、搬送される結束ユニットの上面および下面に同時に複数個の欠き込みを切削する該欠き込み切削手段と、
欠き込み形成および所定長さにカットされた結束ユニットを搬出サイトに搬送する第２コンベヤ手段と
を具えたことを特徴とする。
【００２０】
この木製間柱部材の加工機によれば、多数の木製間柱部材を２段もしくは３段重ねにした結束ユニットの上面および下面において、多数本の木製間柱部材に対して、横胴縁部材を通貫させるための複数個の窪みを一挙に欠き込み形成することができ、作業効率が極めて向上する。さらに、木製間柱部材を所定長さにカットするときに発生する木っ端は、本発明による間仕切り壁の胴縁構造において、建具を取り付ける箇所の補強用部材として利用することができる。
【００２１】
次に、図面につき、本発明の好適な実施例を詳細に説明する。
【実施例１】
【００２２】
図２に、本発明の好適な第１実施例としての間仕切り壁の胴縁構造１０を示す。この間仕切り壁の胴縁構造１０は、天井側の木製横方向部材である頭継ぎ１１と、床側の木製横方向部材である土台１２と、頭継ぎおよび土台の両端において頭継ぎと土台とを互いに連結する木製の間柱部材１３とを設ける。さらに、両側端部における２個の木製間柱部材１３の中間に、所定間隔毎に縦方向に配置し、頭継ぎと土台とを互いに連結する複数本の間柱部材１３Ａ，１３Ｂを設ける。
【００２３】
この中間の間柱部材は、すべて、もしくは少なくとも１本を、木製の間柱部材１３Ａ、または方形断面の軽量金属中空角材による軽鉄製の間柱部材１３Ｂとすることもできる。しかし、木製の間柱部材１３Ａと、軽鉄製の間柱部材１３Ｂとを混在させ、例えば、図示の実施例に示すように、扉等の建具を嵌め込む部分１４の右側に木製の間柱部材１３Ａを、左側に軽鉄製の間柱部材１３Ｂを配置する。
【００２４】
木製間柱部材１３，１３Ａの場合、間柱部材における表裏外面の一方の外表面に、切削加工機により長手方向所定の間隔で複数個の窪み１５Ａを欠き込み形成する。軽鉄製の間柱部材１３Ｂの場合、間柱部材の表裏外面に、プレス加工機により長手方向所定の間隔で複数個の窪み１５Ｂを形成する。これら窪み１５Ａ，１５Ｂの深さは、間柱部材の厚さの半分以下となる寸法、好適には、間柱部材の厚さの約１／３の深さにする。
【００２５】
本発明によれば、扉等の建具を嵌め込む開口部分１４を除いて、窪み１５Ａ，１５Ｂの深さに等しい厚さを有する木製の横胴縁部材１６を、間柱部材１３（１３Ａ，１３Ｂ）の窪み１５Ａ，１５Ｂの位置で嵌め込み、複数個の間柱部材１３（１３Ａ，１３Ｂ）に同時通貫させ、これら間柱部材１３（１３Ａ，１３Ｂ）に横胴縁部材１６（１６Ａまたは１６Ｂ）をビス止めする。
【００２６】
本発明によれば、間柱部材１３（１３Ａ，１３Ｂ）の外表面と、窪み１５Ａ，１５Ｂに嵌め込む横胴縁部材１６の外表面とが面一になる。軽鉄製の間柱部材１３Ｂの場合、窪み１５Ｂは、プレス加工によって、間柱部材１３Ｂの表裏両面に生ずるため、図２に示すように、両面の窪み１５Ｂに、薄い厚さ（例えば、９ｍｍの厚さ）ではあるが幅の広い横胴縁部材１６Ａを連結することができる。この幅広の横胴縁部材１６Ａは、安価であるが、直線性が高く、強度もある合板即ち、単板積層板（ＬＶＰ=Laminated Veneer Plate）とすると好適である。
【００２７】
さらに、図２の実施例に示したように、横胴縁部材１６として、幅広寸法の横胴縁部材１６Ａを使用することによって、地震の際における家具転倒防止のための家具固定用もしくは福祉用の手摺り取付用ブラケットをビス止めするために支持面積を広くとれ、効果的な家具転倒防止および手摺り取付を行うことができる。
【００２８】
図２の実施例のように、軽鉄製の間柱部材１３Ｂを木製の間柱部材１３Ａと混在させる場合、頭継ぎ１１の下面、および土台１２の上面のそれぞれに、図３に示すような金属製のＬ字状ブラケット１７をビス止めする。これらＬ字状ブラケット１７の垂直方向に突出する側の脚部１７Ａを、縦方向間柱部材１３（１３Ａ，１３Ｂ）における長手方向両側端部にそれぞれ形成したスリット１８に差し込むことにより、頭継ぎ１１と土台１２との間における縦方向間柱部材１３（１３Ａ，１３Ｂ）の固定を補強する。
【００２９】
好適には、図示しないが、Ｌ字状ブラケットの垂直方向に突出する側の脚部１７Ａに、この垂直脚部１７Ａの長手方向に山部と谷部とが波状に交互に現れるコルゲーションを設けるか、もしくは、Ｌ字状ブラケットの垂直方向に突出する側の脚部１７Ａの表面を、フェルト材料もしくはエラストマー材料で被覆する。Ｌ字状ブラケット１７をこのように構成することにより、金属角材の振動をよりよく吸収して共振・共鳴の発生を抑止することができる。
【００３０】
扉等の建具を嵌め込む開口部分１４には、床側を除いた少なくとも三方を、構造用の単板積層材（ＬＶＬ=Laminated Veneer Lumber）１９を使用して補強する。
【００３１】
さらに、土台１２の表裏両側の外面に、それぞれフローリングを支持する下地合板（パーチ）の端縁を、床鳴り防止用接着剤を使用して保持する横方向溝２０を所定位置に形成し、また、土台１２の適切な箇所に、必要に応じて、表裏両側の外面を貫通する少なくとも１個の配線・配管用のダクト孔２１，２２を形成する。
【００３２】
間仕切り壁の胴縁構造１０をコンクリートの天井または床に固定するには、強度のあるＬ字状ブラケット１７の水平部分をコンクリートの天井または床に固定し、Ｌ字状ブラケット１７の垂直部分１７Ａを頭継ぎ１１もしくは土台１２に設けたスリットに差し込んでビス止めする。この場合も、Ｌ字状ブラケット１７の垂直方向に突出する側の脚部１７Ａに、この垂直脚部１７Ａの長手方向に山部と谷部とが波状に交互に現れるコルゲーションを設けると好適である。代案として、間仕切り壁の胴縁構造１０に外装パネルを固定したユニットの側面を、強度のあるＬ字状ブラケット１７の垂直部分１７Ａにビス止めすることもできる。
【実施例２】
【００３３】
図３に、本発明の好適な第２実施例として木製の胴縁部材のみを使用した間仕切り壁の胴縁構造３０の一部を示す。
この実施例の場合、間柱部材は、両端側の木製間柱部材１３と、中間の木製間柱部材１３Ａとにより構成する。加工機によって欠き込み形成した間柱部材の窪み１５Ａに木製の厚みがある横胴縁部材１６Ｂを、図３の（ｂ）に示すように、外面が面一となるよう通貫させ、間柱部材１３，１３Ａにビス止めする。
【００３４】
図２に示す第１実施例および図３に示す第２実施例の双方とも、間仕切り壁構造の間柱部材および横胴縁部材で区切られる隙間を、凹凸のあるパルプモールドシート５を嵌め込んで遮蔽すると（ただし、図３の実施例で、最下段にのみ凹凸パルプモールドシート５を嵌め込んだ状態を示す）、断熱、遮音、吸音効果が安価に得ることができる。
特に、このパルプモールドシート５として、卵梱包で使用済みのパックを回収して流用するとコストが一層安価となり、また、通常はゴミとして廃棄され、コストをかけて処理され、環境に負荷をかける廃棄物を出すことがなくなり、人畜無害で環境保護に役立つ。
【００３５】
外装パネルおよび装飾クロスの下地としての間仕切り壁構造にパルプモールドシート５を固定するには、間仕切り壁構造の一方の側面に取り付ける外装パネルと他方の側面に取り付ける外装パネルとの間にサンドイッチ状に挟み込み、パルプモールドシート５の凸部の頂面をこれら両側の外装パネルに接着材で固着する。
【００３６】
本発明間仕切り壁の胴縁構造によれば、胴縁構造１０に両面に外装パネルをビス止めしてクロス張りした後の最終段階で、ドア等の建具を開口部分１４に取り付けることができるため、建具、入口枠または特別入口枠を傷つけることなく、きれいなまま注文主に渡すことができる。
【００３７】
さらに、軽鉄間柱を使用する場合、軽鉄の中空角材の内部に、差し込むことができる木材もしくは中空軽鉄材（例えば、木製間柱部材を所定長さにカットした際に発生した木の端材、もしくは軽鉄の端材であってもよい）を差し込むこともでき、軽鉄間柱の長さが足りない状況でも、差し込んだ端材で長さ調整ができる。しかし、木の端材を差し込むと、ビスの利きがよくなるので好適である。このように本発明によれば、従来廃棄されていた端材であっても、無駄なく有効活用できる。
【００３８】
図４に、間仕切り壁の胴縁構造における木製間柱部材１３，１３Ａを所定長さにカットするとともに、木製間柱部材１３，１３Ａの外表面に、長手方向所定の間隔で複数個の窪み１５Ａを形成する本発明による間柱部材の加工機３０を示す。
【００３９】
本発明による木製間柱部材の加工機３０は、複数本の間柱用木材１３を２段もしくは３段重ねで間柱用木材の横方向に配列してバンドにより結束した結束ユニット３１を、間柱用木材の配列方向に順次搬送する第１コンベヤ手段３２を有する。この第１コンベヤ手段３２は、キャタピラ式のベルトコンベヤ３２Ａと、結束ユニット３１の上面を押さえて案内する上面ガイド手段３２Ｂと、結束ユニット３１における間柱用木材１３の一方の端部を案内する端部ガイド手段３２Ｃとを有する。
【００４０】
第１コンベヤ手段の搬送経路上の固定位置で、間柱用木材１３の他方の端部側を調整自在の位置で所定長さの間柱用木材となるようカットする長さ調整切断手段３４を有する。この長さ調整切断手段３４は、モータ駆動の丸鋸カッター３４Ａを有する。この丸鋸カッター３４Ａのエンクロージャ３４Ｂは、集塵ダクト３４Ｃによって切断屑を図示しない集塵チャンバに集塵する。この長さ調整切断手段３４でカットされた木っ端は、廃棄処分せずに、扉等の建具を嵌め込む開口部分１４の隙間調整用のシム１３Ｃとして有効利用することができる。
【００４１】
やはり、この第１コンベヤ手段３２の搬送経路上の固定位置で、コンベヤ手段の搬送方向に直交する方向に、調整可能な間隔で配置した複数個の欠き込みカッター３５Ａを有する欠き込み切削手段３５を設ける。モータ駆動の欠き込みカッター３５Ａは、互いに離れた位置で搬送される結束ユニット３１の上面側および下面側にそれぞれ配置し、搬送される結束ユニット３１の上面および下面に同時に複数個の窪み１５Ａを欠き込み切削する。欠き込みカッター３５Ａのエンクロージャ３５Ｂは、集塵ダクト３５Ｃによって切削屑を図示しない集塵チャンバに集塵する。ただし、図４の平面図では、上面側の欠き込みカッター３５Ａのみを点線で示し、上面の窪み１５Ａのみ示し、下側の欠き込みカッター３５Ａおよび窪み１５Ａは示さない。
【００４２】
欠き込み形成および所定長さにカットされた結束ユニット３１を搬出サイトに搬送する第２コンベヤ手段を設ける。この第２コンベヤ手段は、欠き込み形成および所定長さにカットされた結束ユニット３１を、第１コンベヤ手段から順次に受け止めて第１コンベヤ手段の搬送経路に直交する方向、すなわち、木製間柱部材の長手方向に送る側方シフト手段３６と、この側方シフト手段のガイド終端部で欠き込み形成および所定長さにカットされた結束ユニット３１を搬出サイトに搬送するローラーコンベヤ手段３７とを設ける。側方シフト手段３６の終端部には、ローラーコンベヤ手段３７に送るプッシャー手段３８を設ける。
【００４３】
欠き込み形成および所定長さにカットされ、ローラーコンベヤ手段３７で搬出サイトに送られた複数個の結束ユニット３１を、所定数フォークリフトに集積し、輸送トラックに積み替え、建築現場に輸送する。
【産業上の利用可能性】
【００４４】
本発明による間仕切り壁の胴縁構造は、ビル、マンション、戸建て住宅の部屋を間仕切り、外装パネル（外装クロスを含む）を取り付けるための下地構造として利用することができる。
さらに、本発明による加工機は、本発明による間仕切り壁胴縁構造用の間柱部材を作成するのに使用する。
【図面の簡単な説明】
【００４５】
【図１】（ａ）および（ｂ）は、それぞれ従来の２種類の間仕切り壁下地構造を示す正面図である。
【図２】本発明による間仕切り壁の胴縁構造の第１実施例を示し、（ａ）は線図的正面図、（ｂ）は（ａ）におけるI‐I線上の断面図、（ｃ）は（ａ）におけるII‐II線上の断面図である。
【図３】本発明による間仕切り壁の胴縁構造の第２実施例を示し、（ａ）は線図的正面図、（ｂ）は（ａ）におけるIII‐III線上の断面図である。
【図４】本発明間仕切り壁の胴縁構造に使用する木製間柱部材に窪みを欠き込み形成する加工機の線図的説明図である。
【符号の説明】
【００４６】
１  頭継ぎ
２  土台
３  間柱
４  桟木（横胴縁部材）
１０  間仕切り壁の胴縁構造
１１  頭継ぎ
１２  土台
１３  間柱部材
13A   間柱部材（木製）
13B   間柱部材（軽鉄製）
13C   シム
１４  開口部分
１５  窪み
15A   窪み（木製）
15B   窪み（軽鉄製）
１６  横胴縁部材
16A   幅広の横胴縁部材
16B   幅狭の横胴縁部材
１７  Ｌ字状ブラケット
17A  ブラケットの脚部
１８  スリット
１９  単板積層材（ＬＶＬ）
２０  横方向溝
21,22 ダクト孔
３０  木製間柱部材の加工機
３１  結束ユニット
３２  第１コンベヤ手段
32A   ベルトコンベヤ
32B   上面ガイド手段３２Ｂ
32C   端部ガイド手段
３４  長さ調整切断手段
34A   丸鋸カッター
34B   エンクロージャ
34C   集塵ダクト
３５  欠き込み切削手段
35A   欠き込みカッター
35B   エンクロージャ
35C   集塵ダクト
３６  側方シフト手段
３７  ローラーコンベヤ手段
３８  プッシャー手段
【図１】
2007056476.tif 000003
【図２】
2007056476.tif 000004
【図３】
2007056476.tif 000005
【図４】
2007056476.tif 000006